(57)【要約】【課題】室外機を安全かつ容易に移動できかつ安価な熱源機を提供する。【解決手段】本熱源機は、底板の上に設置されるＬ字形状の熱交換器に対向して設けられた熱交換器ガードとを備え、この熱交換器ガードは、熱交換器のＬ字形状の角部に対向して設けられた支柱と、この支柱に格子状に取り付けられた線状部材とからなり、支柱には把手部が設けられる。【選択図】  図３
2010065951.tif 000002
【特許請求の範囲】
【請求項１】
底板の上に設置されるＬ字形状の熱交換器と、この熱交換器に対向して設けられた熱交換器ガードとを備えた熱源機において、前記熱交換器ガードは、前記熱交換器のＬ字形状の角部に対向して設けられた支柱と、この支柱に格子状に取り付けられた線状部材とからなり、前記支柱には把手部が設けられたことを特徴とする熱源機。
【請求項２】
前記把手部は前記支柱の一部の幅を狭くすることにより形成されることを特徴とする請求項１に記載の熱源機。
【請求項３】
前記把手部は前記支柱の一部に段部を設けることにより形成されることを特徴とする請求項１または２に記載の熱源機。
【発明の詳細な説明】
【技術分野】
【０００１】
本発明は熱源機に係り、特に筐体構造を改良した熱源機に関する。
【背景技術】
【０００２】
従来、空気調和装置やヒートポンプ型給湯機等の熱源機は、底板と、この底板から立設され機械室の前面に位置する前面板と、この前面板に連設され吹出口が設けられた前面吹出板と、この前面吹出板に連設され、吸込側となり格子状の線状部材と支柱からなるフィンガードと、Ｌ字形状に折曲された機械室側板と、これら部材により形成される上部開口を覆うように載置された天板で構成される（例えば、特許文献１など）。
【０００３】
そして、前面板およびこの前面板に対向するＬ字形状の機械室側板の背面側には、熱源機の据付工事などに熱源機を持ち上げて移動させるための把手が設けられる。
【０００４】
しかしながら、従来の熱源機の機械室側の一方側にのみ把手を設け、機械室側と反対のフィンガード側には設けていないので、移動時に不便であり、また、やむを得ず把手代わりに線状部材を持つと線状部材が変形して、熱源機が落下することがあり、危険であり、さらに、別個に把手を設けると高価になる。
【特許文献１】特開２００６−１７７６２０号公報
【発明の開示】
【発明が解決しようとする課題】
【０００５】
本発明は上述した事情を考慮してなされたもので、熱源機を安全かつ容易に移動できかつ安価な熱源機を提供することを目的とする。
【課題を解決するための手段】
【０００６】
上述した目的を達成するため、本発明に係る熱源機は、底板の上に設置されるＬ字形状の熱交換器と、この熱交換器に対向して設けられた熱交換器ガードとを備えた熱源機において、前記熱交換器ガードは、前記熱交換器のＬ字形状の角部に対向して設けられた支柱と、この支柱に格子状に取り付けられた線状部材とからなり、前記支柱には把手部が設けられたことを特徴とする。
【発明の効果】
【０００７】
本発明に係る熱源機によれば、室外機を安全かつ容易に移動できかつ安価な熱源機を提供することができる。
【発明を実施するための最良の形態】
【０００８】
本発明の第１実施形態に係る熱源機について図面を参照して説明する。
【０００９】
図１は本発明の第１実施形態に係る熱源機の斜視図、図２はその熱源機を分解して示す斜視図である。
【００１０】
図１及び図２に示すように、本第１実施形態の空気調和機の熱源機１は、熱源機筐体２を備える。
【００１１】
この熱源機筐体２は長方形で扁平皿状の底板３と、この底板３から立設され機械室４の前面に位置する前面板５と、この前面板５に連設され、熱交換室６の前面に位置し、吹出グリル７ａ、ベルマウス７ｂが設けられた前面吹出板７と、この前面吹出板７に連設され、線状部材８と支柱９からなるフィンガード１０と、Ｌ字形状に折曲された機械室側板１１と、これら部材５、７、１０、１１により形成される上部開口１２を覆うように載置された天板１３で構成される。
【００１２】
また、熱源機筐体２内は仕切板１４によって、機械室４と熱交換室６に区画され、機械室４には、底板３上に載置されて圧縮機１５、アキュムレータ１６、現地配管接続部１７、四方弁などの各種弁および冷媒配管、圧縮機１５や熱交換室６に収容される送風機１８等を駆動制御する室外制御装置２０等が収容されている。
【００１３】
一方、熱交換室６には底板３上に載置されて送風機１８、熱交換器１９が収容される。
【００１４】
さらに、前面板５のほぼ中央の高さ位置には、前面把手２１が設けられ、図３に示すＬ字形状の機械室側板１１の背面１１ａのほぼ中央の高さ位置には、背面把手２２が設けられる。
【００１５】
また、図３に示すように、熱交換器１９の背面および側面に対向して設けられるフィンガード１０が設けられ、このフィンガード１０は、通気性を備えながら、外部から熱交換器１９のフィンに物が当たりフィンが変形するのを防止するためのもので、格子状に組まれたほぼＬ字状の線状部材８を支柱９に固着してなる。
【００１６】
線状部材８は熱交換器１９の折曲部に対向する部分が支柱９に固着され、両端の一部が前面吹出板７、機械室側板１１に螺着される。支柱９は底板３と天板１３間に垂直に渡たされ、螺着される。
【００１７】
図４に示すように、支柱９は長尺の金属部材からなり、そのほぼ中央の高さ位置には、把手部２３が設けられ、この把手部２３は支柱９の一部の幅を狭くすることにより形成される。
【００１８】
これにより、把手部２３は握り易く形成されている。
【００１９】
なお、図５に示すように、支柱９Ａに設ける把手部２３Ａに指が掛かるような凹凸を設けてもよい。これにより、より確実に把手部２３Ａを把持できる。
【００２０】
次に本第１実施形態の空気調和装置の熱源機の移動について説明する。
【００２１】
図３に示すように、二人の作業者のうち一人の作業者が、前面把手２１（図１）および背面把手２２に手を掛け、もう一人の作業者が支柱９に設けた把手部２３に手を掛け、さらに、前面吹出板７を支えて、熱源機１を持ち上げ移動する。
【００２２】
この熱源機１の移動過程において、把手部が機械室側板１１のみでなく、支柱９側（熱交換室側）にも設けるので、支柱９側（熱交換室側）も確実に支持でき、安全であり、さらに、把手部２３を持つので、線状部材８を持つことがなくなり、線状部材８が変形して熱源機１を落下させる危険がなく、安全であり、また、移動も容易になり、さらに、支柱９を利用して把手部２３を設けるので、熱交換室側に別個の把手を設ける必要がなく安価である。
【００２３】
本第１実施形態の熱源機によれば、熱源機を安全かつ容易に移動できかつ安価な熱源機が実現する。
【００２４】
また、本発明の第２実施形態に係る熱源機について説明する。
【００２５】
本第２実施形態は、第１実施形態が把手部を支柱の一部の幅を狭くして形成するのに対して、支柱に一部に段部を設けて把手部を形成する。
【００２６】
例えば、図６および図７に示すように、本第２実施形態の熱源機１Ｂは熱源機筐体２Ｂに支柱９Ｂが取り付けられ、この支柱９Ｂの一部に段部を設けて把手部２３Ｂを形成する。
【００２７】
支柱９Ｂ側（熱交換室側）も確実に支持でき、安全であり、さらに、把手部２３Ｂを持つので、線状部材８を持つことがなくなり、線状部材８が変形して熱源機１Ｂを落下させる危険がなく、安全であり、また、移動も容易になり、さらに、支柱９Ｂを利用して把手部２３Ｂを設けるので、熱交換室側に別個の把手を設ける必要がなく安価である。
【００２８】
他の構成は図３に示す熱源機と異ならないので、同一符号を付して説明は省略する。
【００２９】
本第２実施形態の熱源機によれば、安全かつ容易に移動できかつ安価な熱源機が実現する。
【図面の簡単な説明】
【００３０】
【図１】本発明の第１実施形態に係る熱源機の斜視図。
【図２】本発明の第１実施形態に係る熱源機を分解して示す斜視図。
【図３】本発明の第１実施形態に係る熱源機の背面を示す斜視図。
【図４】本発明の第１実施形態に係る熱源機に用いる支柱の平面図。
【図５】本発明の第１実施形態に係る熱源機に用いる支柱の変形例の一部平面図。
【図６】本発明の第２実施形態に係る熱源機の背面を示す斜視図。
【図７】本発明の第２実施形態に係る熱源機に用いる支柱の斜視図。
【符号の説明】
【００３１】
１…熱源機、２…熱源機筐体、３…底板、４…機械室、５…前面板、６…熱交換室、７…前面吹出板、７ａ…吹出グリル、７ｂ…ベルマウス、８…線状部材、９…支柱、１０…フィンガード、１１…機械室側板、１１ａ…背面、１２…上部開口、１３…天板、１４…仕切板、１５…圧縮機、１６…アキュムレータ、１７…現地配管接続部、１８…送風機、１９…熱交換器、２０…室外制御装置、２１…前面把手、２２…背面把手、２３…把手部。
【図１】
2010065951.tif 000003
【図２】
2010065951.tif 000004
【図３】
2010065951.tif 000005
【図４】
2010065951.tif 000006
【図５】
2010065951.tif 000007
【図６】
2010065951.tif 000008
【図７】
2010065951.tif 000009